(57)【要約】【課題】アンクル丈の短靴下であっても、口編部がずり落ちしない靴下を提供することである。【解決手段】踵編部３の左右両側に、身編部２の下端から踵側へ斜め後方に延びるゴアライン４ｂとは別に、身編部２の下端から土踏まず側へ斜め前方に延びるゴアライン４ａを設け、踵編部３の前方に正回転で編成される足編部５の下方に、正逆の往復回転で編成される踵編部３の踵前下部３ｄを土踏まず側へ張り出させることにより、足の踵部のみでなく、足の甲と土踏まずへの当接部の編成形状もフィットするように改善し、これらの踵部を含むより広い範囲の当接部のフィット効果で、アンクル丈の短靴下であっても、口編部１のずり落ちを確実に防止できるようにした。【選択図】　図１
2004019015.tif 000002
【特許請求の範囲】
【請求項１】
口編部に、身編部を介して、または直接続く踵編部を正逆の往復回転で編成し、この踵編部の左右両側に、前記身編部または口編部の下端から踵編部下方に延びるゴアラインを設けた靴下において、前記踵編部の左右両側に、前記身編部または口編部の下端から真下方向よりも土踏まず側の前方へ延びる別のゴアラインを設けたことを特徴とする靴下。
【請求項２】
前記靴下が、アンクル丈の短靴下である請求項１に記載の靴下。
【発明の詳細な説明】
【０００１】
【発明の属する技術分野】
この発明は、口編部がずり落ちし難い靴下に関し、特にアンクル丈の短靴下に好適な靴下に関するものである。
【０００２】
【従来の技術】
ゴム編みで編成される口編部に、正回転で筒状に編成される身編部を介して、または直接続く踵編部は、正逆の往復回転で編成され、各往復回転の端部で目減らしや目増やしを行うことにより踵形状に編成されている。この往復回転の端部で目減らしや目増やしをされた境目はゴアラインと称され、踵編部の左右両側で身編部またはの口編部下端から踵編部下方に延びるように現れる。
【０００３】
この往復回転による靴下の踵編部の編成方法については、口編部のずり落ち防止と踵へのフィット性向上の観点から、これまでに様々な提案がなされており、まず、実公昭４１−１８３５４号公報では、ゴアラインの開始点を足首部側に近づける、すなわち、身編部の下端を上方にずらして踵編部の編成面積を広くする提案がなされた。
【０００４】
続いて、特開昭５７−１２８２０１号公報および特開２００１−１６４４０５号公報では、さらに踵編部の編成面積を広くして、口編部のずり落ち防止効果や踵へのフィット性を高めるために、踵編部の左右両側に複数のゴアラインを設けたものが提案されている。前者は、身編部の下端で始点を合致させた３本のゴアラインを放射状に設けたものであり、後者は、始点の異なる２本のゴアラインを前後に設けたものである。
【０００５】
【発明が解決しようとする課題】
上述した従来の靴下は、いずれも各ゴアラインを踵編部の真下方向か、またはこれよりも後方へ延びるように設けている。すなわち、踵編部のみの編成形状の改善で踵へのフィット性を高めるとともに、この踵のみへのフィット効果で口編部のずり落ちを防止するようにしている。
【０００６】
このため、踵へのフィット性は向上しているが、例えば、足首への当接部が殆どないアンクル丈の短靴下では、未だ口編部のずり落ちが生じることがある。また、アンクル丈の短靴下は、靴から露出しないように丈をより短くするファッション傾向や、テニス等のスポーツ用のものも増加する傾向があり、このような用途では、さらにずり落ちのし難いものが要求されている。
【０００７】
そこで、この発明の課題は、アンクル丈の短靴下であっても、口編部がずり落ちしない靴下を提供することである。
【０００８】
【課題を解決するための手段】
上記の課題を解決するために、この発明は、口編部に、身編部を介して、または直接続く踵編部を正逆の往復回転で編成し、この踵編部の左右両側に、前記身編部または口編部の下端から踵編部下方に延びるゴアラインを設けた靴下において、前記踵編部の左右両側に、前記身編部または口編部の下端から真下方向よりも土踏まず側の前方へ延びる別のゴアラインを設けた構成を採用したものである。
【０００９】
すなわち、踵編部の左右両側に、身編部または口編部の下端から真下方向よりも土踏まず側の前方へ延びる別のゴアラインを設け、踵編部の前方に正回転で編成される足編部の下方に、正逆の往復回転で編成される踵編部を土踏まず側へ張り出させることにより、足の踵部のみでなく、足の甲と土踏まずへの当接部の編成形状もよりフィットするように改善して、これらの踵部を含むより広い範囲の当接部のフィット効果で、口編部のずり落ちを確実に防止できるようにした。
【００１０】
上述した靴下は、足首への当接部が殆どなく、口編部がずり落ちしやすいアンクル丈の短靴下に好適である。
【００１１】
【発明の実施の形態】
以下、図１および図２に基づき、この発明の実施形態を説明する。図１は、第１の実施形態を示す。この靴下はアンクル丈の短靴下であり、ゴム編みで編成された口編部１の下側に、正回転で筒状に編成された身編部２が設けられ、身編部２の下側に設けられる踵編部３が、身編部２の下端のやや前寄りの位置を始点として、土踏まず側へ斜め前方に延びる第１のゴアライン４ａの後側の領域で、正逆の往復回転により編成されている。また、身編部２の下端前側とゴアライン４ａとの前側には、正回転で筒状に編成された足編部５が設けられ、その先に爪先編部６が正逆の往復回転で編成されている。
【００１２】
前記踵編部３には、第１のゴアライン４ａと同じ位置を始点として、踵側へ斜め後方に延びる第２のゴアライン４ｂが設けられ、このゴアライン４ｂには２つの分岐ゴアライン７ａ、７ｂが設けられている。図示は省略するが、これらの各ゴアライン４ａ、４ｂと分岐ゴアライン７ａ、７ｂは、反対側の側面にも左右対称に設けられている。
【００１３】
したがって、往復回転で編成される踵編部３は、まず、左右のゴアライン４ｂを境目とする踵後部３ａが編成され、続いて、ゴアライン４ｂの先端部と分岐ゴアライン７ａとを境目とする踵後下部３ｂと、２つの分岐ゴアライン７ａ、７ｂを境目とする踵後下部３ｃとが編成され、最後に、ゴアライン４ｂおよびその分岐ゴアライン７ｂとゴアライン４ａとを境目とし、土踏まず側へ張り出す踵前下部３ｄが編成される。
【００１４】
前記足編部５は、その前後端が前開きのＶ字状に屈曲しているが、これは靴下の編成後に、足編部５を構成する糸が前側の爪先編部６と後側の踵編部３を構成する各糸に引っ張られて屈曲したものであり、足編部５の編成時の前後端は真直に保持され、正回転で筒状に編成される。
【００１５】
前記爪先編部６には前方に延びるゴアライン８が設けられている。このゴアライン８も反対側の側面に左右対称に設けられており、爪先編部６は左右のゴアライン８を境目として、半分ずつ往復回転で編成される。
【００１６】
図２は、第２の実施形態を示す。この靴下もアンクル丈の短靴下であり、丈をより短くするために身編部２が省略され、ゴム編みで編成された口編部１の下側に、踵編部３と足編部５とが直接接続されている。その他の部分は、第１の実施形態と同じであるので、図１と同じ符号で表示した。
【００１７】
上述した各実施形態では、第１のゴアラインと同じ位置を始点として、踵側へ斜め後方に延びる第２のゴアラインを１本設け、第２のゴアラインに分岐ゴアラインを設けたが、第１と第２のゴアラインの始点は必ずしも同じ位置とする必要はなく、かつ、第１と第２の各ゴアラインは２本以上設けてもよい。なお、分岐ゴアラインは第１のゴアライン側にも設けてもよく、第１および第２のゴアラインとも分岐のないものとしてもよい。
【００１８】
また、本発明に係る靴下はアンクル丈の短靴下に限定されることはなく、スポーツ用靴下等の口編部がずり落ちしやすい他の形の靴下にも採用することができる。
【００１９】
【発明の効果】
以上のように、この発明の靴下は、踵編部の左右両側に、身編部または口編部の下端から真下方向よりも土踏まず側の前方へ延びる別のゴアラインを設け、踵編部の前方に正回転で編成される足編部の下方に、正逆の往復回転で編成される踵編部を土踏まず側へ張り出させることにより、足の踵部のみでなく、足の甲と土踏まずへの当接部の編成形状もフィットするように改善したので、これらの踵部を含むより広い範囲の当接部のフィット効果で、アンクル丈の短靴下であっても、口編部のずり落ちを確実に防止することができる。
【図面の簡単な説明】
【図１】第１の実施形態の靴下を示す側面図
【図２】第２の実施形態の靴下を示す側面図
【符号の説明】
１　口編部
２　身編部
３　踵編部
３ａ　踵後部
３ｂ、３ｃ　踵後下部
３ｄ　踵前下部
４ａ、４ｂ　ゴアライン
５　足編部
６　爪先編部
７ａ、７ｂ　分岐ゴアライン
８　ゴアライン
【図１】
2004019015.tif 000003
【図２】
2004019015.tif 000004